(57)【特許請求の範囲】
【請求項１】
原木から採取したラミナを、実際に塗装した状態における色調を基準に、「淡色」、「中間色」または「濃色」のいずれかに分類する工程と、
「淡色」及び「中間色」に分類された前記ラミナを、予め定められた所定の組合せ比率に基づいて組み合わせることによって淡色製品用のフリッチを作成する工程と、
淡色製品用の前記フリッチを切削することによって淡色製品用の集成スライス単板を形成する工程と、
淡色製品用の前記集成スライス単板を木質基材に貼着する工程と、
前記木質基材に貼着された淡色製品用の前記集成スライス単板を塗装する工程と
を備えた化粧板の製造方法。
【請求項２】
原木から採取したラミナを、実際に塗装した状態における色調を基準に、「淡色」、「淡色中間色」、「濃色中間色」または「濃色」のいずれかに分類する工程と、
「淡色」及び「淡色中間色」に分類された前記ラミナを、予め定められた所定の組合せ比率に基づいて組み合わせることによって淡色製品用のフリッチを作成する工程と、
淡色製品用の前記フリッチを切削することによって淡色製品用の集成スライス単板を形成する工程と、
淡色製品用の前記集成スライス単板を木質基材に貼着する工程と、
前記木質基材に貼着された淡色製品用の前記集成スライス単板を塗装する工程と
を備えた化粧板の製造方法。
【請求項３】
表色値によって特定される色空間を多数の単位色空間に区画すると共に、区画された各単位色空間がどの分類に該当するのかを予め設定しておき、
前記ラミナを、実際に測色することによって得られた測色値が対応する前記単位色空間に設定されている分類に振り分けるようにした請求項１または２に記載の化粧板の製造方法。
【請求項４】
前記色空間を前記単位色空間に区画する際、人間の色彩感覚を考慮して、表色成分毎にその単位量を設定した請求項３に記載の化粧板の製造方法。
【発明の詳細な説明】
【０００１】
【発明の属する技術分野】
この発明は、木質基材に集成スライス単板が貼着された化粧板の製造方法、特に、意匠的に優れた淡色製品を十分に供給することができる化粧板の製造方法に関する。
【０００２】
【従来の技術】
合板等の木質基材の上面に集成スライス単板（化粧単板）を貼着した後、その集成スライス単板に塗装を施すことによって製造される化粧板は、木材の色調を積極的に生かすために着色をほとんど行わない淡色製品と、積極的に着色した濃色製品とに大きく分類されており、淡色製品及び濃色製品には、それぞれに適した集成スライス単板が使用されている。
【０００３】
こういった集成スライス単板は、基本的に、原木から採取した複数のラミナを組み合わせてフリッチを作成し、このフリッチを切削することによって製造されるのが一般的であり、淡色製品用の集成スライス単板と濃色製品用の集成スライス単板とは、それぞれ異なるフリッチから製造されている。
【０００４】
具体的には、図５に示すように、原木ＰＷから採取されたラミナＬは、まず、原木ＰＷの心材部から採取されたラミナＬ１と、原木の辺材部から採取されたラミナＬ２とに分類された後、原木ＰＷの心材部から採取されたラミナＬ１が、目視によって、淡色製品に使用することができる品質の高いものと、使用することができないものとに、さらに分類される。
【０００５】
そして、原木ＰＷの心材部から採取した淡色製品に使用することができる高品質のラミナＬ１のみを組み合わせて作成したフリッチＦを切削することによって淡色製品用の集成スライス単板Ｖが製造され、原木ＰＷの辺材部から採取したラミナＬ２と、原木の心材部から採取したラミナＬ１のうち淡色製品に使用することができないものとを組み合わせて作成されたフリッチＦを切削することによって濃色製品用の集成スライス単板Ｖが製造されるようになっている。
【０００６】
【発明が解決しようとする課題】
ところで、淡色製品用として使用されるラミナは、高品質なものを選別しているが故に色調が似通ってしまい、これらのラミナのみを任意に組み合わせて作成されたフリッチから切削される淡色製品用の集成スライス単板は、一般的に色調の変化に乏しいものが多かった。
【０００７】
しかしながら、化粧板としては、淡色製品であると濃色製品であるとに拘わらず、集成スライス単板を構成しているラミナ間に適度な色調（濃淡）の差があるほうが意匠上好ましく、こういったラミナ間の色調が適度に異なる淡色製品用の集成スライス単板を安定して確実に供給できるようにすることが望まれている。
【０００８】
また、淡色製品は、上述したように、木質材の色調を生かすためにほとんど着色を行わないので、淡色製品用のラミナを選別する際には、その選別基準が必然的に厳しくなり、必要な淡色製品を製造するのに十分なラミナを確保することができないという問題もある。
【０００９】
そこで、この発明の課題は、集成スライス単板を構成しているラミナの色調が適度に異なる意匠的に優れた淡色製品を十分に供給することができる化粧板の製造方法を提供することにある。
【００１０】
【課題を解決するための手段及びその効果】
上記の課題を解決するため、請求項１に係る発明は、原木から採取したラミナを、実際に塗装した状態における色調を基準に、「淡色」、「中間色」または「濃色」のいずれかに分類する工程と、「淡色」及び「中間色」に分類された前記ラミナを、予め定められた所定の組合せ比率に基づいて組み合わせることによって淡色製品用のフリッチを作成する工程と、淡色製品用の前記フリッチを切削することによって淡色製品用の集成スライス単板を形成する工程と、淡色製品用の前記集成スライス単板を木質基材に貼着する工程と、前記木質基材に貼着された淡色製品用の前記集成スライス単板を塗装する工程とを備えた化粧板の製造方法を提供するものである。なお、ここにいう「集成スライス単板」には、ロータリスライス単板も含まれることはいうまでもない。
【００１１】
以上のように、この化粧板の製造方法では、実際に塗装した状態における色調を基準に「淡色」、「中間色」または「濃色」のいずれかに分類されたラミナのうち、「淡色」及び「中間色」に分類されたラミナを、予め定められた所定の組合せ比率に基づいて組み合わせることによって淡色製品用のフリッチを作成するようにしたので、単に、淡色製品に適したラミナのみを選別して、これらを任意に組み合わせることによってフリッチを作成する従来法とは異なり、ラミナ間の色調が適度に異なる意匠的に優れた淡色製品用の集成スライス単板を確実に製造することができる。
【００１２】
また、従来法のように、色調の似通ったラミナだけを使用するわけではなく、従来法では濃色製品用として分類されていたラミナの一部を淡色製品用として使用することになるので、淡色製品用として使用するラミナの絶対数が増加し、従来に比べて、淡色製品の供給量を増やすことができる。
【００１３】
また、請求項２に係る発明の化粧板の製造方法のように、原木から採取したラミナを、実際に塗装した状態における色調を基準に、「淡色」、「淡色中間色」、「濃色中間色」または「濃色」のいずれかに分類する工程と、「淡色」及び「淡色中間色」に分類された前記ラミナを、予め定められた所定の組合せ比率に基づいて組み合わせることによって淡色製品用のフリッチを作成する工程と、淡色製品用の前記フリッチを切削することによって淡色製品用の集成スライス単板を形成する工程と、淡色製品用の前記集成スライス単板を木質基材に貼着する工程と、前記木質基材に貼着された淡色製品用の前記集成スライス単板を塗装する工程とを備えた化粧板の製造方法では、色調バランスがおだやかな化粧板を製造することが可能となる。
【００１４】
また、原木の心材部から採取されたラミナを淡色製品に適したものと、そうでないものとに分類する作業は、最終塗装状態における色調を想定して行わなければならないので、こういった分類作業は、熟練者でなければ適正に行うことができない。従って、分類作業を行う作業者によっては、本来、濃色製品用として分類しなければならないラミナが淡色製品用として分類されたり、本来、淡色製品用として分類しなければならないラミナが濃色製品用として分類されたりする場合があり、こういったラミナを含む集成スライス単板は、不良品として廃棄しなければならず、貴重な木材資源を浪費してしまうという問題があった。
【００１５】
そこで、請求項３に係る発明の製造方法のように、表色値によって特定される色空間を多数の単位色空間に区画すると共に、区画された各単位色空間がどの分類に該当するのかを予め設定しておき、前記ラミナを、実際に測色することによって得られた測色値が対応する前記単位色空間に設定されている分類に振り分けるようにすると、従来のような作業者によるラミナの分類ミスがなくなり、原木から採取したラミナを最大限に活用することができると共に、短時間で確実に分類作業を行うことができる。
【００１６】
さらに、請求項４に係る発明の製造方法のように、前記色空間を前記単位色空間に区画する際、人間の色彩感覚を考慮して、表色成分毎にその単位量を設定しておくと、例えば、木質材の色調に対して人間の視覚が敏感に反応する表色成分に対する分類精度を効率よく高めることができる。
【００１７】
【発明の実施の形態】
以下、本発明の化粧板の製造方法について図面を参照して説明する。図１（ａ）、（ｂ）に示すように、まず、原木ＰＷからラミナ原料を採取し、このラミナ原料からラミナＬを作成する。ここで、まず、同図（ｃ）に示すように、原木ＰＷの心材部から採取したラミナＬ１と、原木の辺材部から採取したラミナＬ２とに分類した後、同図（ｄ）に示すように、原木ＰＷの心材部から採取したラミナＬ１を、測色分類装置１を用いて最終塗装状態における色調を基準に、「淡色」、「中間色」、「濃色」のいずれかに分類する。
【００１８】
前記測色分類装置１は、図３に示すように、ラミナ表面の色調をＬ＊、ａ＊、ｂ＊表色系（ＣＩＥ  １９７６）の表色値として取得する測色手段１０と、この測色手段１０によって測色されたラミナ表面の測色値（表色値）を分析する分析手段２０とから構成されており、前記測色手段１０としてはＣＣＤカメラが使用されている。
【００１９】
前記分析手段２０は、同図に示すように、装置全体を統括的に制御する制御部２１と、測色手段１０から出力される測色データ（測色値）を一時的に記憶する測色データ記憶領域２２ａ及び図４に示すようなＬ＊、ａ＊、ｂ＊表色系の表色値によって特定される色空間Ｓを区画している多数の単位色空間ｐｓに対して、各単位空間ｐｓ毎にそれぞれどの分類に属するのかを対応させた分類データが記憶されている分類データ記憶領域２２ｂを有する記憶部２２と、前記測色データと分類データとに基づき、測色されたラミナがどの分類に属するのかを判定する判定部２３と、判定結果を出力する表示部２４とを備えている。
【００２０】
前記分類データ記憶領域２２ｂに格納されている分類データは、実際に作成した多数のサンプルラミナを測色した後、それらのサンプルラミナに実際に塗装を施した状態で、それらのサンプルラミナがどの分類に属するのかを目視判定することによって作成されたものであり、ラミナを測色することによって得られた測色データ（測色値）に対応する単位色空間ｐｓの分類データを取得することによって、直ちに、そのラミナがどの分類に属するのかを判定することができ、かかる処理は、判定部２３によって行われる。
【００２１】
従って、分類しようとするラミナを測色手段１０によって測色すると、そのラミナがどの分類に属するものであるのかが、判定部２３によって直ちに判定され、その判定結果が表示部２４に自動的に表示されるので、その分類に振り分ければよい。
【００２２】
なお、Ｌ＊、ａ＊、ｂ＊表色系の表色値によって特定される色空間Ｓを区画している単位色空間ｐｓは、図４に示すように、人間の色彩感覚を考慮して、表色成分（Ｌ＊、ａ＊、ｂ＊）毎にそれぞれの単位量が設定されている。即ち、木質材の色調に対して人間の視覚が敏感に反応するａ＊成分の単位量が、Ｌ＊成分やｂ＊成分の単位量に比べて小さく設定されており、上述した色空間Ｓは、Ｌ＊成分やｂ＊成分に比べてａ＊成分がより細かく区画されることになる。
【００２３】
次に、図１（ｅ）に示すように、以上のようにして分類されたラミナＬ１、Ｌ２を適宜組み合わせて、淡色製品用のフリッチＦと、濃色製品用のフリッチＦとを作成する。まず、淡色製品用のフリッチＦを作成する場合は、原木ＰＷの心材部から採取されたラミナＬ１のうち、「淡色」及び「中間色」に分類されたラミナＬ１を組み合わせることになるが、その組合せ比率は予め設定されており、例えば、樺材によって形成されたラミナの場合は、「中間色」：「淡色」＝１：２の割合で、ナラ材によって形成されたラミナの場合は、「中間色」：「淡色」＝３：１の割合で組み合わせることになる。
【００２４】
一方、濃色製品用のフリッチＦを作成する場合は、原木ＰＷの心材部から採取されたラミナＬ１のうち、「中間色」に分類されたラミナＬ１と、「濃色」に分類されたラミナＬ１及び原木ＰＷの辺材部から採取されたラミナＬ２とを組み合わせることになるが、その組合せ比率は予め設定されており、例えば、樺材によって形成されたラミナの場合は、「中間色」：（「濃色」＋「辺材部」）＝２：１の割合で、ナラ材によって形成されたラミナの場合は、「中間色」：（「濃色」＋「辺材部」）＝３：１の割合で組み合わせることになる。
【００２５】
このようにして、淡色製品用のフリッチＦ及び濃色製品用のフリッチＦが作成されると、図２（ａ）に示すように、それぞれのフリッチＦを切削することによって、淡色製品用の集成スライス単板Ｖ及び濃色製品用の集成スライス単板Ｖをそれぞれ形成する。
【００２６】
そして、これらの集成スライス単板Ｖを、同図（ｂ）に示すように、合板、パーティクルボード、ＭＤＦ（中質繊維板）等の木質基材Ｂの上面に接着剤によって貼着した後、同図（ｃ）に示すように、淡色製品に対してはクリア塗装を、濃色製品に対しては、着色・塗装を施すと、同図（ｄ）に示すように、化粧板Ｐが完成する。
【００２７】
以上のように、この化粧板の製造方法では、最終塗装状態における色調を基準に「淡色」、「中間色」、「濃色」のいずれかに分類されたラミナを、淡色製品及び濃色製品毎に予め定められた所定の組合せ比率に基づいて組み合わせることによって淡色製品用のフリッチと濃色製品用のフリッチとを作成するようにしたので、単に、淡色製品に適したラミナのみを選別して、これらを任意に組み合わせることによって淡色製品用のフリッチを作成する従来法では難しかった、ラミナ間の色調が適度に異なる意匠的に優れた淡色製品用の集成スライス単板を確実に製造することができる。
【００２８】
しかも、従来法のように、色調の似通ったラミナだけを使用するのではなく、色調バランスを改善するために、濃色製品用のフリッチを作成する際にも使用される「中間色」に分類されたラミナを所定の割合で淡色製品用のフリッチを作成する際にも使用するので、従来法では濃色製品用として分類されていたラミナの一部を淡色製品用として使用することになる。これによって、淡色製品用として使用するラミナの絶対数が増加するので、従来法に比べて、淡色製品の供給量を増やすことが可能となる。
【００２９】
また、原木の心材部から採取したラミナを「淡色」、「中間色」、「濃色」のいずれかに分類する際は、上述したように、測色分類装置を使用することによって、人間の主観が全く介在しない状態でラミナの分類が行われると共に、分類の基準として使用される分類データは、実際に塗装したラミナに基づいて作成されているので、最終塗装状態を想定しながら人間が目視によって分類していた従来法のように、分類ミスが発生することはほとんどない。従って、従来に比べて、製品の歩留りが格段に向上し、原木から採取したラミナを最大限に活用することが可能となる。
【００３０】
また、測色分類装置の記憶部２２には、Ｌ＊、ａ＊、ｂ＊表色系の表色値によって特定される色空間を区画している各単位色空間毎にそれぞれ分類データを備えているので、測色手段１０によってラミナを測色することにより、ラミナの測色値（表色値）を取得すれば、直ちに、そのラミナをどの分類に振り分ければよいかを判定することができる。従って、多数のラミナを短時間のうちに確実に分類することが可能となり、分類作業の効率化を図ることができる。
【００３１】
また、上述したように、Ｌ＊、ａ＊、ｂ＊表色系の表色値によって特定される色空間は、木質材の色調に対して人間の視覚が敏感に反応するａ＊成分が、Ｌ＊成分やｂ＊成分に比べて細かく区画されているので、全ての成分を同じように細かく区画する場合と同様の分類精度を維持しつつ、データ量を最小限に抑えることができるという効果がある。
【００３２】
なお、上述した実施形態では、原木の心材部から採取したラミナを、「淡色」、「中間色」、「濃色」に分類するようにしているが、これに限定されるものではなく、例えば、「中間色」をさらに「淡色系中間色」と「濃色系中間色」とに分類し、「淡色」に分類されたラミナと「淡色系中間色」に分類されたラミナとを所定の組合せ比率で組み合わせることによって淡色製品用のフリッチを形成し、「濃色」に分類されたラミナと「濃色系中間色」に分類されたラミナ及び原木の辺材部から採取したラミナとを所定の組合せ比率で組み合わせることによって濃色製品用のフリッチを形成すると、色調バランスがおだやかな化粧板を製造することが可能となる。
【００３３】
また、上述した実施形態では、最終製品が「淡色製品」及び「濃色製品」の２種類に分類される場合について説明したが、これに限定されるものではなく、例えば、最終製品が「淡色製品」、「中間色製品」及び「濃色製品」の３種類に分類される場合についても、本発明の製造方法を適用することができる。その場合は、原木の心材部から採取したラミナを、「淡色」、「淡色系中間色」、「中間色」、「濃色系中間色」及び「濃色」に分類し、淡色製品については「淡色」及び「淡色系中間色」のラミナを、「中間色製品」については「淡色系中間色」、「中間色」及び「濃色系中間色」のラミナを、「濃色製品」については「濃色系中間色」及び「濃色」（辺材部から採取したラミナを含む）のラミナを、それぞれ所定の組合せ比率で組み合わせることによって、各製品用のフリッチを作成すればよい。
【００３４】
また、上述した実施形態では、測色分類装置を使用してラミナを「淡色」、「中間色」、「濃色」のいずれかに分類するようにしているが、これに限定されるものではなく、目視によって分類した場合でも、淡色製品に適したラミナとそうでないラミナとに分類していた従来法に比べて、色調バランスのよい意匠的に優れた化粧板を製造することは可能である。ただし、目視によって分類する場合は、上述したように、分類ミスによって歩留りが低下するので、測色分類装置を使用して分類するほうが望ましいことはいうまでもない。
【００３５】
また、上述した測色分類装置では、Ｌ＊、ａ＊、ｂ＊表色系の表色値に基づいてラミナの色調を評価することによって分類しているが、これに限定されるものではなく、種々の表色系の表色値に基づいてラミナの色調を評価することによって分類することも可能である。
【図面の簡単な説明】
【図１】（ａ）〜（ｅ）はこの発明にかかる化粧板の製造方法を示す工程図である。
【図２】（ａ）〜（ｄ）は同上の化粧板の製造方法を示す工程図である。
【図３】同上の製造方法に使用される測色分類装置を示すブロック図である。
【図４】Ｌ＊、ａ＊、ｂ＊表色系の表色値によって特定される色空間を概念的に示す図である。
【図５】従来の化粧板の製造方法を示す工程図である。
【符号の説明】
１  測色分類装置
１０  測色手段
２０  分析手段
２１  制御部
２２  記憶部
２３  判定部
２４  表示部
ＰＷ  原木
Ｂ  木質基材
Ｌ、Ｌ１、Ｌ２  ラミナ
Ｆ  フリッチ
Ｓ  色空間
ｐｓ  単位色空間
Ｖ  集成スライス単板
Ｐ  化粧板
【図１】
0004925523.tif 000002
【図２】
0004925523.tif 000003
【図３】
0004925523.tif 000004
【図４】
0004925523.tif 000005
【図５】
0004925523.tif 000006